(57)【要約】【課題】既設のカーテンに対して着脱が可能で、且つ裾部の、例えば部分的にでも上げ下げの調整とその保持とが容易に行える簡易な構成で且つ低コストとし、また裾部分の装飾も可能なカーテン裾部引上具を提供する。【解決手段】カーテンレールに垂設し当該カーテンレールに沿って横方向へ移動して開閉可能としてなるカーテンＰを前後から挟み込むようにマグネット３を介して互いに磁着接合する一対の装飾挟持部材１ａ，１ｂと、両装飾挟持部材１ａ，１ｂ同士を連繋する装飾連繋部材２とを備える。装飾連繋部材２は、カーテンＰの裾部Ｑを所望の高さ位置まで持ち上げた状態で支持するものとする。【選択図】図４
0003141886.tif 000002
【実用新案登録請求の範囲】
【請求項１】
カーテンレールに垂設され当該カーテンレールに沿って横方向へ移動させて開閉可能としてなるカーテンにおいて、カーテンを前後から挟み込むようにマグネットを介して互いに磁着接合される一対の装飾挟持部材と、両装飾挟持部材同士を連繋する装飾連繋部材とを備え、該装飾連繋部材は、カーテンの裾部を所望の高さ位置まで持ち上げて支持するものとしたことを特徴とするカーテン裾部引上具。
【請求項２】
カーテンレールに垂設され当該カーテンレールに沿って横方向へ移動させて開閉可能としてなるカーテンにおいて、カーテンを前後から挟み込むようにして互いに圧着接合される略Ｕ字形の装飾弾性部材を備え、該装飾弾性部材は、このＵ字内側部分でカーテンの裾部を所望の高さ位置まで持ち上げた状態で支持するものとしたことを特徴とするカーテン裾部引上具。
【考案の詳細な説明】
【技術分野】
【０００１】
本考案は、カーテンの裾部を部分的にでもたくし上げるように上下高さ位置を調整可能に移動することにより、適度な採光調節と装飾機能とを兼備できるようにしたカーテン裾部引上具に関する。
【背景技術】
【０００２】
従来、非透光性カーテンの裾部を上げ下げ操作するための装置として、例えば特許文献１に開示されているように、内側の非透光性カーテンの裾部に固定されてその裾部を昇降させる昇降コードと、この昇降コードを挿通ガイドする部材であって非透光性カーテンの上下方向に沿って所要ピッチで装着されたコードメールと、前記昇降コードの一端に止着されたリング状引手部と、前記カーテンの裾部を任意レベルに保持可能なストッパーとから構成した昇降機構部を有する二重カーテンなる技術が存在する。
【０００３】
また、特許文献２に開示されているように、ポリアミド繊維を主成分とした不織布テープを、カーテン生地の下部を折り返した折返し部の内側に挟み込み、折返し部の外面を加熱することで不織布テープとカーテン生地とが融着し、これによりカーテンの裾上げが完了するものとしたカーテン裾上げ方法なる技術が存在する。
【特許文献１】特開２０００−２０１８０２号公報
【特許文献２】特開平８−１１２１９２号公報
【考案の開示】
【考案が解決しようとする課題】
【０００４】
しかしながら、上述した従来の技術においては、例えば特許文献１の場合、二重カーテンに対し、昇降コード、コードメール、リング状引手部、ストッパー等の各部材を設けていることから、カーテン自体が複雑な構成となり、しかも製造に要するコストも掛かり過ぎてしまう。
【０００５】
また、特許文献２の場合、不織布テープを挟み込んだ折返し部を、外面から加熱することで不織布テープとカーテン生地とを融着させることから、いったん裾上げされたカーテンは元の状態に戻すことが困難である。
【０００６】
そこで、本考案は叙上のような従来存した諸事情に鑑み創案されたもので、既設のカーテンに対して着脱が可能で、且つ裾部の上げ下げの調整とその保持とが容易に行える簡易な構成で且つ低コストなカーテン裾部引上具を提供することを目的とする。
【課題を解決するための手段】
【０００７】
上述した課題を解決するため、本考案にあっては、カーテンレールに垂設され当該カーテンレールに沿って横方向へ移動させて開閉可能としてなるカーテンＰにおいて、カーテンＰを前後（ないし表裏）から挟み込むようにマグネット３を介して互いに磁着接合される一対の装飾挟持部材１ａ，１ｂと、両装飾挟持部材１ａ，１ｂ同士を連繋する装飾連繋部材２とを備え、該装飾連繋部材２は、カーテンＰの裾部Ｑを所望の高さ位置まで持ち上げて支持するものとしたものである。
また、カーテンレールに垂設され当該カーテンレールに沿って横方向へ移動させて開閉可能としてなるカーテンＰにおいて、カーテンＰを前後から挟み込むようにして互いに圧着接合される略Ｕ字形の装飾弾性部材１１を備え、該装飾弾性部材１１は、このＵ字内側部分でカーテンＰの裾部Ｑを所望の高さ位置まで持ち上げた状態で支持するものとすることができる。
【０００８】
以上のように構成された本考案に係るカーテン裾部引上具にあって、一対の装飾挟持部材１ａ，１ｂは、当該装飾挟持部材１ａ，１ｂ同士を連繋する装飾連繋部材２によってカーテンＰの裾部Ｑを支持しながら所望の高さ位置まで持ち上げた状態で、マグネット３を介してカーテンＰを前後から挟み込み磁着接合させる。
また、装飾弾性部材１１は、このＵ字内側部分でカーテンＰの裾部Ｑを支持しながら所望の高さ位置まで持ち上げた状態で、カーテンＰを前後から挟持させる。
【考案の効果】
【０００９】
本考案によれば、既設のカーテンＰに対して着脱が可能で、且つ裾部Ｑをたくしあげるような部分的な上げ下げの調整とその保持とが容易に行える簡易な構成で且つ低コストなカーテン裾部引上具を提供することができる。
【００１０】
すなわちこれは、本考案が、カーテンＰを前後から挟み込むようにマグネット３を介して互いに磁着接合される一対の装飾挟持部材１ａ，１ｂと、両装飾挟持部材１ａ，１ｂ同士を連繋する装飾連繋部材２とを備え、該装飾連繋部材２は、カーテンＰの裾部Ｑを所望の高さ位置まで持ち上げて支持するものとしたからであり、これにより、既設のカーテンＰに対して着脱が可能で、且つ裾部Ｑの上げ下げの調整とその保持が容易に行えることから、適度な採光調節と装飾機能とが兼備可能となる。
【００１１】
また、カーテンレールに垂設され当該カーテンレールに沿って横方向へ移動させて開閉可能としてなるカーテンＰにおいて、カーテンＰを前後から挟み込むようにして互いに圧着接合される略Ｕ字形の装飾弾性部材１１を備え、該装飾弾性部材１１は、このＵ字内側部分でカーテンＰの裾部Ｑを所望の高さ位置まで持ち上げた状態で支持するので、既設のカーテンＰに対して着脱が可能で、且つ裾部Ｑの上げ下げの調整とその保持が容易に行えるカーテン裾部引上具を、簡易な構成で且つ低コストに作製することができる。
【００１２】
尚、上記の課題を解決するための手段、考案の効果の項それぞれにおいて付記した符号は、図面中に記載した構成各部を示す部分との参照を容易にするために付したもので、図面中の符号によって示された構造・形状に本考案が限定されるものではない。
【考案を実施するための最良の形態】
【００１３】
以下、図面を参照して本考案を実施するための最良の一形態を説明する。図において示される符号１は、本考案に係るカーテン裾部引上具を構成する引上具本体であり、該引上具本体１を使ってカーテンＰの裾部Ｑを部分的にでもたくし上げて上下に移動させて支持することにより、適度な採光調節が行われると同時に、カーテンＰに対する装飾性も機能するようにしてある。
【００１４】
カーテンＰは、例えば窓に吊した際に部屋の内側に配置される非透光性カーテンと、該非透光性カーテンよりも窓側に前後で重なり合うようにして配置される透光性カーテンとのいずれであっても良い。非透光性カーテンは、室内を暗く出来るようにポリエステル繊維を素材として製織した厚手のドレープ地が用いられている。また、透光性カーテンは、ポリエステル繊維を素材として編成した薄手の経編レース地からなり、窓の外から射し込む日光を室内へ適度に採り入れ可能となっている。そして、これら両カーテンそれぞれは、各々の上縁部を所要長さで折り返して縫合し、この折返縫合部に所要間隔をもってプリーツが形成され、これらプリーツに挿入されたフックＦを介して、窓枠の上縁に配した不図示のカーテンレールに摺動自在に付設されたスライダーの環部に垂設され、内側の非透光性カーテンおよび外側の透光性カーテンを横方向へ移動させて開閉操作できるようにしてある。そして、引上具本体１は、非透光性カーテンおよび透光性カーテンの両方に同時に使用するか、あるいは非透光性カーテンのみに使用するものである。
【００１５】
尚、カーテンＰ自体は、このような非透光性カーテンおよび透光性カーテンを前後に二重にして配置した二重カーテン構成である場合のみでなく、いずれか一方であっても良いことは勿論である。要は、窓等を遮蔽すべく開閉可能にして設けられるカーテンＰにおいて、一重あるいは二重であることを問わず、また透光性の有無を問わず、いずれの形態のものに対しても適用可能である。
【００１６】
引上具本体１は、図１に示すように、カーテンＰを前後（ないし表裏）から挟み込むための例えば円形駒状の一対の装飾挟持部材１ａ，１ｂと、両装飾挟持部材１ａ，１ｂ同士を連繋する紐状の装飾連繋部材２とから構成されている。これら一対の装飾挟持部材１ａ，１ｂの各表側には装飾体としての例えば造花等を施し、且つ各裏側にはマグネット３が互いに異なる極性面を露出させるように付設してある。一方、装飾連繋部材２は、短い紐材に装飾としての例えば互いに色の異なる複数のビーズ等を通し連ねて構成されていたり、チェーン、紐材等にて構成されていたりする。尚、これらの装飾は、本考案を何等限定するものではなく、装飾体として、造花以外の例えば人形や動物形、あるいは文字・模様形等であっても良い。
【００１７】
そして、一対の装飾挟持部材１ａ，１ｂでカーテンＰを前後から挟み込んだ際には、両装飾挟持部材１ａ，１ｂがマグネット３を介して互いに磁着接合されることでカーテンＰに固定されると同時に装飾連繋部材２によってカーテンＰの裾部Ｑが所望の高さ位置までたくし上げられるように持ち上げられて支持されるものとしてある（図２乃至図４参照）。
【００１８】
次に、以上のように構成された最良の形態についての使用の一例について説明する。例えばカーテンＰの中央における裾部Ｑを引き上げて保持する際には、図２および図４（ａ）に示すように、引上具本体１を裾部Ｑ下側から装着し、この装飾連繋部材２によってカーテンＰの裾部Ｑをたくし上げるように支持しながら所望の高さ位置まで持ち上げる。
【００１９】
そして、図３および図４（ｂ）に示すように、カーテンＰを挟み込んで一対の装飾挟持部材１ａ，１ｂ相互を接合させると両装飾挟持部材１ａ，１ｂのマグネット３同士が互いに磁着吸引されてカーテンＰに固定され、これによって、カーテンＰの中央その他の適位置が適度な採光を可能とする所要レベルだけ引き上げられて保持されることになる。
【００２０】
また、図５に示すように、カーテンＰの裾部Ｑの複数箇所に引上具本体１を取り付けても良い。このとき、カーテンＰの裾部Ｑの例えば等間隔にした複数箇所が適度な採光を可能とする所要レベルだけ引き上げられて保持されることになる。
【００２１】
図６には、カーテン裾部引上具の他の例が示されている。すなわち、引上具本体１は、カーテンＰを前後から挟み込むための、好ましくは開口部が閉鎖傾向に強揆付勢されている醗略Ｕ字形を呈したグリップ挟圧片に装飾を施してなる装飾弾性部材１１によって構成されている。
【００２２】
そして、カーテンＰの裾部Ｑを引き上げて保持する際には、図６（ａ）に示すように、装飾弾性部材１１を手指で拡開しながらカーテンＰの裾部Ｑ下側から装着し当該装飾弾性部材１１のＵ字内側部分で裾部Ｑを支持しながら所望の高さ位置まで持ち上げる。その後、図６（ｂ）に示すように、装飾弾性部材１１から手指を離すと装飾弾性部材１１はカーテンＰを前後から挟み込むようにして圧着接合される。これによって、カーテンＰが適度な採光を可能とする所要レベルだけ引き上げられて保持されることになる。
【図面の簡単な説明】
【００２３】
【図１】本考案を実施するための最良の形態における引上具本体の概略構成を示す斜視図である。
【図２】同じくカーテンの裾部に引上具本体を取り付ける状態の斜視図である。
【図３】同じくカーテンの裾部に引上具本体を取り付け、所望の高さ位置まで持ち上げてこれを保持した状態を示す斜視図である。
【図４】カーテンの裾部に対する引上具本体の取り付け動作を説明するもので、（ａ）はカーテンの裾部に引上具本体を取り付ける状態の断面図、（ｂ）はカーテンの裾部に引上具本体を取り付け所望の高さ位置まで持ち上げてこれを保持した状態を示す断面図である。
【図５】カーテンの裾部に対し引上具本体を等間隔毎に取り付け、所望の高さ位置まで持ち上げてこれらを保持した状態を示す斜視図である。
【図６】他例による引上具本体をカーテンの裾部に取り付ける動作を説明するもので、（ａ）はカーテンの裾部に引上具本体を取り付ける状態の断面図、（ｂ）はカーテンの裾部に引上具本体を取り付け所望の高さ位置まで持ち上げてこれを保持した状態を示す断面図である。
【符号の説明】
【００２４】
Ｐ…カーテン                            Ｑ…裾部
Ｆ…フック
１…引上具本体                          １ａ，１ｂ…装飾挟持部材
２…装飾連繋部材                        ３…マグネット
【図１】
0003141886.tif 000003
【図２】
0003141886.tif 000004
【図３】
0003141886.tif 000005
【図４】
0003141886.tif 000006
【図５】
0003141886.tif 000007
【図６】
0003141886.tif 000008